(57)【要約】【課題】容器の取り出し口とそれを開閉する開閉機構の関係を誤って認識されることのないように、取り出し口と開閉機構が容器の同じ側に位置し、容器の取り出し口の開閉を一操作で行うことができる包装容器を提供する。【解決手段】包装容器は、壁部に取り出し口を有する容器本体及びこの容器本体の取り出し口を開閉するための開閉機構とからなる。開閉機構は、一方の側が容器本体の壁部にヒンジ部を介して設けられた傾倒板と、該傾倒板の他方の側の左右両端にヒンジ部を介して連設された一対の帯状部と、前記一対の帯状部の間に位置して前記傾倒板の他方の側に連設された、容器本体の取り出し口を閉鎖する閉鎖板と、前記一対の帯状部に連設された滑動板と、この滑動板を容器本体に滑動可能に取り付ける手段を備える。【選択図】      図４
2006193204.tif 000002
【特許請求の範囲】
【請求項１】
取り出し口を有する容器本体及びこの容器本体の取り出し口を開閉するための開閉機構とからなる包装容器において、前記開閉機構は、一方の側が容器本体にヒンジ部を介して設けられた傾倒板と、該傾倒板の他方の側の左右両端にヒンジ部を介して連設された一対の帯状部と、前記一対の帯状部の間に位置して前記傾倒板の他方の側に連設された、容器本体の取り出し口を閉鎖する閉鎖板と、前記一対の帯状部に連設された滑動板と、この滑動板を容器本体に滑動可能に取り付ける手段を備えることを特徴とする包装容器。
【請求項２】
滑動板を容器本体に滑動可能に取り付ける手段は、滑動板の少なくとも片側に形成された爪と、この爪に対応して容器本体の壁部に形成されたスリットからなり、爪はスリット内に移動可能に嵌め込まれていることを特徴とする請求項１に記載の包装容器。
【請求項３】
滑動板を容器本体に滑動可能に取り付けられる手段は、滑動板の裏面に形成されたピンと、このピンに対応して容器本体の壁部に形成されたスリットからなり、ピンはスリット内に移動可能に嵌め込まれていることを特徴とする請求項１に記載の包装容器。
【請求項４】
一対の帯状部と滑動板の間にヒンジ部が設けられていることを特徴とする請求項１乃至３の何れか一項に記載の包装容器。
【請求項５】
閉鎖板には取り出し口に密嵌合することが可能な環状突起部が設けられていることを特徴とする請求項１乃至４の何れか一項に記載の包装容器。
【請求項６】
容器本体の壁部は開閉機構を納めるのに十分な深さの凹陥部を有し、この凹陥部内に開閉機構が納められていることを特徴とする請求項１乃至５の何れか一項に記載の包装容器。
【請求項７】
容器本体は、底部材と蓋部材とからなり、底部材は蓋部材に嵌合されてなるカード状ケースであることを特徴とする請求項１乃至６の何れか一項に記載の包装容器。
【請求項８】
蓋部材はトレイ状に成形されたものであることを特徴とする請求項７に記載の包装容器。
【請求項９】
蓋部材は平板に成形されたものであることを特徴とする請求項７に記載の包装容器。
【請求項１０】
前記開閉機構は容器本体の壁部と一体に成形されており、容器本体の壁部と傾倒板の間にヒンジ部が成形されていることを特徴とする請求項１乃至９の何れか一項に記載の包装容器。
【請求項１１】
底部材の内部に包装内容物を蓋部材の取り出し口に対応する領域に誘導するための誘導壁が備えられていることを特徴とする請求項１乃至１０の何れか一項に記載の包装容器。
【請求項１２】
傾倒板の縦方向長さ：帯状部の縦方向長さの比が１：９乃至３：７の範囲内にあることを特徴とする請求項１乃至１１の何れか一項に記載の包装容器。
【発明の詳細な説明】
【技術分野】
【０００１】
本発明は、錠剤、顆粒等の内容物の包装容器に関する。
【背景技術】
【０００２】
図１に背面側から見た斜視図を示し、図２に正面側から見た斜視図を示すような容器の蓋の開放機構が知られている（特許文献１参照）。この蓋の開放機構は、容器本体１１に対してヒンジ部４を介して連接された蓋体１２を開閉するための蓋の開放機構である。２本の切込み長孔１８が、それぞれ容器本体１１の背面側の任意の位置から、ヒンジ部４に達するまで切り込まれている。この２本の切込み長孔１８、１８は、両切込み長孔１８、１８間の領域を指で押圧可能な間隔をおいて設けられ、両切込み長孔１８、１８間に折り曲げ溝７を有する押圧操作部５が形成されている。この押圧操作部５を容器本体１１の背面側から指で押圧することにより、押圧操作部５からヒンジ部４を介して蓋体１２に伝わった押圧力により、蓋体１２が押圧力の作用方向に若干撓み移動し、その状態で押圧操作部５が容器本体の内側へ向けて撓み変形することにより、蓋体１２が容器本体１１の側に引っ張られ、押圧操作部５の容器本体１１の背面部への連接部とヒンジ４の間の間隔が短縮される一方、他方では容器本体１１の背面部の押圧操作部５の左右の隣接部分が原型を保持しようとすることによって、蓋体１２はヒンジ部４を回動中心部として強制的に開放される。
【特許文献１】特許第３１３７１２３号公報
【発明の開示】
【発明が解決しようとする課題】
【０００３】
この特許文献１に記載の技術を利用してなる錠剤、顆粒等の内容物の包装容器においては、容器本体１１の背面部を押して開口するので、利用者は容器本体１１の前後の関係を忘れて、容器を傾けて持った状態で押圧操作部５を押し、押圧操作部５の後ろ側に向けて開口した開口部から内容物をこぼしてしまうことがある。また、押圧操作部５を指で押すとき、図３に示すように、うっかり押圧操作部５と蓋体１２を把持してしまうことがあり、その場合、蓋体１２は開かない。また、ワンタッチオープン故に、かばん等の中に入れて携帯した状態で、押圧操作部５がそれに接触した他の物に押圧されて不用意に開き内容物が飛び出してしまうことがある。特に蓋体１２の真下の容器本体１１の領域を押すと容器本体１１がゆがみ、そのために蓋体１２が開き密閉性に欠ける。
本発明の目的は、容器の取り出し口とそれを開閉する開閉機構の関係を誤って認識されることのないように、取り出し口と開閉機構が容器の同じ側に位置し、容器の取り出し口の開閉を一操作で行うことができる包装容器を提供することである。
【課題を解決するための手段】
【０００４】
請求項１に記載の発明は、上記の課題を解決するもので、取り出し口を有する容器本体及びこの容器本体の取り出し口を開閉するための開閉機構とからなる包装容器において、前記開閉機構は、一方の側が容器本体にヒンジ部を介して設けられた傾倒板と、該傾倒板の他方の側の左右両端にヒンジ部を介して連設された一対の帯状部と、前記一対の帯状部の間に位置して前記傾倒板の他方の側に連設された、容器本体の取り出し口を閉鎖する閉鎖板と、前記一対の帯状部に連設された滑動板と、この滑動板を容器本体に滑動可能に取り付ける手段を備えることを特徴とする包装容器を要旨とするものである。
【０００５】
この発明によれば、滑動板を前方へスライドさせることにより、取り出し口を塞ぐ閉鎖板を、一対の帯状部を撓ませて傾倒板を起こし、傾倒板を閉鎖板と共に取り出し口が露出するまで傾倒させることにより、取り出し口を開放することができ、また内容物の取り出し後に、滑動板を後方へ戻すことにより閉鎖板を取り出し口の上に位置させて取り出し口を塞ぐことができる包装容器を提供することができる。この容器においては、取り出し口と開閉操作部が容器の同じ側に位置するので、内容物をこぼすことなく確実に取り出すことができる。また、また、滑動板をスライドさせて開封させる方式のものであるので、かばん等の中に入れて携帯した状態で、従来のように、開閉機構がそれに接触した他の物に押圧されて不用意に容器から内容物が飛び出してしまうことがない。
【０００６】
本発明において、滑動板を容器本体に滑動可能に取り付ける手段として、滑動板の少なくとも片側に形成された爪と、この爪に対応して容器本体の壁部に形成されたスリットからなるものを用いることができる。この場合、爪をスリット内で移動させることにより滑動板を前後に前後に移動させることができる。
【０００７】
また、本発明において、滑動板を容器本体に滑動可能に取り付ける手段として、滑動板の裏面に形成されたピンと、このピンに対応して容器本体の壁部に形成されたスリットからなるものを用いることができる。この場合、ピンをスリット内で移動させることにより滑動板を前後に滑動させることができる。
【０００８】
本発明においては取り出し口は円形、楕円形、卵形等の任意の形状に形成しうることは言うまでもないことである。また内容物が顆粒状物である場合には、取り出し口を多数の小穴群で形成してもよい。
【０００９】
また、本発明においては、一対の帯状部と滑動板の間にヒンジ部を設けるのが望ましい。このヒンジ部が存在することにより、一対の帯状部を介しての傾倒板の起立、傾倒がより容易になる。
【００１０】
傾倒板の背面側には、取り出し口に密嵌合することが可能な、所謂パッキングのはたらきをする環状突起部が設けることが望ましく、この環状突起部によって取り出し口を気密に塞ぐことができる。
【００１１】
また、本発明において、容器本体の壁部を開閉機構を納めるのに十分な深さの凹陥部を有する形状にし、凹陥部内に開閉機構を配置することが望ましい。このように構成することにより、開封機構がその周囲の壁部に対して突出することがなく、滑動板が凹陥部内に納められているので、滑動板が不用意にスライドして取り出し口が開放されてしまうことがない。
【００１２】
本発明において、容器本体として、底部材と蓋部材とからなり、底部材は蓋部材に嵌合されてなるカード状ケースを用いることができる。このカード状ケースにおいては底部材に例えば顆粒状内容物を入れ蓋部材と合わせることにより錠剤、顆粒等の内容物の包装容器を形成することができる。
【００１３】
本発明において、底部材と蓋部材からなるカード状容器において、蓋部材としてトレイ状に成形されたもの、或いは平板に成形されたものを用いることができる。
【００１４】
本発明に係る包装容器は、前記開閉機構は容器本体の壁部と一体に成形されており、容器本体の壁部と傾倒板の間にヒンジ部が成形されている一体型包装容器として形成することができる。この包装容器は、ポリプロピレン、ナイロン、アクリル樹脂等の樹脂を用いて射出成形することにより形成することができる。
【００１５】
本発明において、底部材と蓋部材からなるカード状の容器において、底部材の内部に包装内容物を蓋部材の取り出し口に対応する領域に誘導するための誘導壁が備えられていることが望ましい。誘導壁が存在することにより、容器内の錠剤、顆粒等の包装内容物を全て容器から取り出すことができる。
【００１６】
本発明において、傾倒板の縦方向長さ：帯状部の縦方向長さの比を１：９乃至３：７の範囲内とすることが望ましい。このような範囲傾倒板の縦方向長さ：帯状部の縦方向長さの比を定めることにより、取り出し口のを完全に露出させることができる包装容器を形成することができる。それに対して傾倒板の縦方向長さ：帯状部の縦方向長さの比を、例えば２：３とすると、傾倒板を最大限起こしても閉鎖板の一部が取り出し口の上方にかかり内容物の取り出しが困難になる。
【発明の効果】
【００１７】
本発明の包装容器は、前記したように、取り出し口を有する容器本体及びこの容器本体の取り出し口を開閉するための開閉機構とからなる包装容器において、前記開閉機構は、一方の側が容器本体にヒンジ部を介して設けられた傾倒板と、該傾倒板の他方の側の左右両端にヒンジ部を介して連設された一対の帯状部と、前記一対の帯状部の間に位置して前記傾倒板の他方の側に連設された、容器本体の取り出し口を閉鎖する閉鎖板と、前記一対の帯状部に連設された滑動板と、この滑動板を容器本体に滑動可能に取り付ける手段を備える包装容器であるので、滑動板を前方へスライドさせることにより、一対の帯状部を撓ませ、起こして、傾倒板を閉鎖板と共に、取り出し口が露出するまで傾倒させることにより、取り出し口を開放することができ、また内容物の取り出し後に、滑動板を後方へ戻すことにより閉鎖板を取り出し口の上に位置させて取り出し口を塞ぐことができる包装容器を提供することができる。この容器においては、取り出し口と開閉操作部が容器の同じ側に位置するので、内容物をこぼすことなく確実に取り出すことができる。また、滑動板をスライドさせて開封する方式のものであるので、かばん等の中に入れて携帯した状態で、従来のように、開閉機構がそれに接触した他の物に押圧されて不用意に容器から内容物が飛び出してしまうことがない。
【発明を実施するための最良の形態】
【００１８】
図４乃至図７を用いて、発明を実施するための最良の形態を説明する。
【００１９】
図４は本発明の包装容器の分解斜視図である。図４に示す本発明の包装容器の実施態様は、トレー状の底部材２１ａと同じくトレー状の蓋部材２１ｂとからなる容器本体２１と開閉機構２２を備える。容器本体２１の壁部は開閉機構２２を納めるのに十分な深さと広さを持った凹陥部２３を有し、凹陥部２３内の壁部に内容物の取り出し口２４が設けられている。開閉機構２２は、容器本体２１に折り曲げ溝からなるヒンジ部２５を介して連設されている。開閉機構２２は、一方の側が容器本体２１にヒンジ２５を介して連設された傾倒板２６と、傾倒板２６の他方の側の左右両端にヒンジ部２７を介して連設された一対の帯状部２８ａ、２８ｂと、前記一対の帯状部２８ａ、２８ｂの間に位置して傾倒板２６の他方の側に連設された、容器本体２１の取り出し口２４を閉鎖する閉鎖板２９と、前記一対の帯状部２８ａ、２８ｂに連接された滑動板３０を備える。滑動板３０はその左右にそれぞれ爪３１ａ、３１ｂを備え、爪３１ａ、３１ｂは、容器本体２１の壁部に爪３１ａ、３１ｂに対応して設けられたスリット３２ａ、３２ｂに移動可能に嵌め込まれる。ここにおいて、爪３１ａ、３１ｂとスリット３２ａ、３２ｂは、滑動板３０を容器本体２１に滑動可能に取り付ける手段を構成する。爪３２ａ、３２ｂをスリット３２ａ、３２ｂで移動させることにより滑動板３０を前後に滑動させることができる。
尚、爪３１ａ、３１ｂは滑動板３０の両側に設けられているが、滑動板３０の片側にだけ爪を設けることも可能である。
【００２０】
本発明の包装容器においては、図４に示すように、閉鎖板２６に容器本体２１の取り出し口２４に密嵌合する所謂パッキングの役目をする環状突起部３７を設けるのが望ましい。
【００２１】
また、本発明の包装容器においては、取り出し口２４は円形のものに限定されることなく、例えば卵形、楕円形等の形状のものであってもよい。また内容物が顆粒状物である場合には、取り出し口を多数の小穴群で形成してもよい。
【００２２】
図５は本発明の包装容器の斜視図である。この包装容器においては、トレー状の底部材２１ｂに錠剤、顆粒等の包装内容物を収容し、図９に示す底部材２１ｂのボス３４に図８に示すトレー状の蓋部材２１ａのピン３３を係合させ、且つ図８に示す蓋部材２１ａの周囲端部に設けられた段下げ部３５を図９に示す底部材２１ｂの周囲端部に設けられた段上げ部３６を係合させて底部材２１ｂに蓋部材２１ａを嵌合させて一体化した容器本体２１に連設された開閉機構２２をヒンジ部２４を介して凹陥部２３に納まるように折り曲げ、爪３１ａ、３１ｂがそれぞれスリット３２ａ、３２ｂに嵌め込まれている。
【００２３】
尚、図１０に示すように、底部材の２１ｂの内部に、包装内容物を蓋部材の２１ａの取り出し口に対応する領域に誘導するための誘導壁３９を備えることが望ましい。誘導壁３９が存在することにより、容器内の錠剤、顆粒等の包装内容物を全て容器から取り出すことができる。
【００２４】
図６及び図７は、本発明の包装容器の取り出し口を開放する過程を示す斜視図である。先ず、図５に示す方向Ａに滑動板３０ををスライドさせると、図６に示すように一対の帯状部２８ａ、２８ｂが撓んで傾倒板２６を斜めに立ち上がらせる。
【００２５】
更に滑動板３０をスライドさせると、図７に示すように、傾倒板３０は閉鎖板２９と共に９０°以上に傾き、帯状部２８ａ、２８ｂの間の領域を通して容器本体２１の取り出し口２４が露出せしめられる。そして露出した取り出し口２４から錠剤、顆粒等の包装内容物を取り出すことができる。
【００２６】
内容物を取りだした後は、滑動板３０を逆方向にスライドさせることにより、図５に示すように取り出し口２４の上に閉鎖板２９を配置して閉鎖状態にすることができる。
【００２７】
図４乃至図７に示す本発明の包装容器の実施態様においては、滑動板３０と一対の帯状部２８ａ、２８ａの間にヒンジ部は設けられていない。その為、帯状部２８ａ、２８ｂは滑動板３０を前進させるにつれて滑動板３０に押されて撓んで斜めに立ち上がる。この場合、図１１に示すように、滑動板３０と帯状部２８ａ２８ａの間に折り曲げ溝からなるヒンジ部３８を設けることが望ましい。このヒンジ部３８の存在により、帯状部２８ａ、２８ｂの立ち上がりが容易に行われるようになる。
【００２８】
次に図１２を用いて、本発明の別の実施態様を説明する。図１２に示す実施態様においては、容器本体２１は平板状の蓋部材４０ａと底部材４０ｂからなり、開閉機構２２は蓋部材４０ａにヒンジ部２５を介して設けられている。開閉機構２２の構造は図４に示す実施の形態におけるものと同様である。
【００２９】
次に図１３を用いて、本発明の更に別の実施態様を説明する。図１３に示す実施態様においては、滑動板を容器本体に滑動可能に取り付ける手段として、滑動板３０の裏面に形成されたピン４１と、このピン４１に対応して容器本体２１の壁部に形成されたスリット４２からなるものを用いることができる。ここにおいて、ピン４１とスリット４２は滑動板３０を容器本体２１に取り付ける手段を構成する。ピン４１をスリット４２内で移動させることにより滑動板３０を前後に滑動させることができる。このとき、ピン４１の先端は太くしてスリット４２に入れるとはずれなくすると良い。
【００３０】
図１２及び図１３の実施態様において、図１０に示すように容器本体の底部材の内部に誘導壁３９を備えることが望ましいことはいうまでもないことである。
【００３１】
本発明に係る包装容器は、前記開閉機構が容器本体の壁部と一体に成形された、且つ容器本体の壁部と傾倒板の間にヒンジ部が成形されている一体型包装容器として形成することが望ましい。この包装容器は、ポリプロピレン、ナイロン、アクリル樹脂等の樹脂を用いて射出成形することにより形成することができる。
【００３２】
また、本発明の包装容器には、前記の一体成形したものに限定されることなく、開閉機構を容器本体と別体に形成し、容器本体に開閉機構を接着し、一体化した態様のものも含まれることは言うまでもない。
【００３３】
また、前記の本発明の実施態様はカード状の容器本体の壁部に開閉機構を連設したものであるが、本発明の包装容器には、これに限定されることなく、例えば角筒形の容器本体の側壁に開閉機構を設けた態様のものも含まれることは言うまでもない。
【００３４】
前記したように、本発明の包装容器は、壁部に取り出し口２４を有する容器本体２１及びこの容器本体２１の取り出し口２４を開閉するための開閉機構２２とからなる包装容器において、開閉機構２２は、一方の側が容器本体２１の壁部にヒンジ部２５を介して設けられた傾倒板２６と、傾倒板２６の他方の側の左右両端にヒンジ部２７を介して連設された一対の帯状部２８ａ、２８ｂと、前記一対の帯状部２８ａ、２８ｂの間に位置して傾倒板２６の他方の側に連設された、容器本体２１の取り出し口２４を閉鎖する閉鎖板２９と、前記一対の帯状部２８ａ、２８ｂに連設された滑動板３０を備える包装容器であるので、滑動板３０を前方へスライドさせることにより、一対の帯状部２８ａ、２８ｂを撓ませ、起こして、傾倒板２６を閉鎖板２９と共に起こし、取り出し口２４が露出するまで傾倒させることにより、取り出し口２４を開放することができ、また内容物の取り出し後に、滑動板３０を後方へ戻すことにより閉鎖板２９を取り出し口２４の上に位置させて取り出し口２４を塞ぐことができる包装容器を提供することができる。この容器においては、取り出し口２４と開閉機構２２が容器の同じ側に位置するので、内容物をこぼすことなく確実に取り出すことができる。また、滑動板３０をスライドさせて取り出し口２４を開封する方式のものであるので、かばん等の中に入れて携帯した状態で、従来のように開閉機構がそれに接触した他の物に押圧されて不用意に容器から内容物が飛び出してしまうことがない。
【００３５】
また、容器本体２１の壁部を閉鎖機構２２部を納めるのに十分な深さの凹陥部２３を有する形状にし、凹陥部２３内に開閉機構２２を配置した構成のものにおいては、開封機構２２がその周囲の壁部に対して突出することがなく、滑動板３０が不用意にスライドして取り出し口２４が開放されてしまうことがない。
【００３６】
図１４乃至図１９は傾斜板２６の縦方向長さと帯状部２８ａ，２８ｂの縦方向長さの和を１００とし、それに対して滑動板３０の滑動量（滑動板３０が移動する距離）が２０であるときの、滑動板３０を移動させて起こした傾斜板３０及び閉鎖板２９と取り出し口２４の位置関係を示す模式図である。
【００３７】
図１４は傾斜板の縦方向長さと帯状部の縦方向長さの比が４０対６０のときの滑動板３０を移動させて起こした傾斜板３０及び閉鎖板２９と取り出し口２４の位置関係を示す模式図である。この場合、閉鎖板２９が取り出し口２４の上にかかっており、包装内容物の取り出しは、閉鎖板２９によって邪魔され、スムーズに行うことはできない。
【００３８】
図１５は傾斜板の縦方向長さと帯状部の縦方向長さの比が３０対７０のときの滑動板３０を移動させて起こした傾斜板３０及び閉鎖板２９と取り出し口２４の位置関係を示す模式図である。この場合、閉鎖板２９が取り出し口２４の上にかかることなく、取り出し口は完全に露出されており、包装内容物の取り出しを閉鎖板２９によっで邪魔されることなくスムーズに行うことができる。
【００３９】
図１６は傾斜板の縦方向長さと帯状部の縦方向長さの比が２５対８５のときの滑動板３０を移動させて起こした傾斜板３０及び閉鎖板２９と取り出し口２４の位置関係を示す模式図である。この場合、閉鎖板２９が取り出し口２４の上にかかることなく、取り出し口は完全に露出されており、包装内容物の取り出しを閉鎖板２９によっで邪魔されることなくスムーズに行うことができる。
【００４０】
図１７は傾斜板の縦方向長さと帯状部の縦方向長さの比が２０対８０のときの滑動板３０を移動させて起こした傾斜板３０及び閉鎖板２９と取り出し口２４の位置関係を示す模式図である。また、図１８は傾斜板の縦方向長さと帯状部の縦方向長さの比が１５対８５のときの滑動板３０を移動させて起こした傾斜板３０及び閉鎖板２９と取り出し口２４の位置関係を示す模式図である。図１７及び図１８の何れの場合においても、閉鎖板２９が取り出し口２４の上にかかることなく、取り出し口は完全に露出されており、包装内容物の取り出しを閉鎖板２９によっで邪魔されることなくスムーズに行うことができる。
【００４１】
図１９は傾斜板の縦方向長さと帯状部の縦方向長さの比が１０対９０のときの滑動板３０を移動させて起こした傾斜板３０及び閉鎖板２９と取り出し口２４の位置関係を示す模式図である。この場合傾斜板３０及び閉鎖板２９は完全に寝てしまい、包装内容物の取り出しを閉鎖板２９によっで邪魔されることなくスムーズに行うことができる。
【００４２】
図１４乃至図１９から明らかなように、傾倒板の縦方向長さ：帯状部の縦方向長さの比を１：９乃至３：７の範囲内とすることが望ましい。このような範囲傾倒板の縦方向長さ：帯状部の縦方向長さの比を定めることにより、取り出し口のを完全に露出させることができる包装容器を形成することができる。
【産業上の利用可能性】
【００４３】
本発明の包装容器は、錠剤、顆粒等の包装容器として用いることができる。
【図面の簡単な説明】
【００４４】
【図１】特許文献１に記載の蓋の開放機構を有する容器の背面斜視図である。
【図２】特許文献１に記載の蓋の開放機構を有する容器の蓋を開いた状態を示す正面斜視図である。
【図３】図１に示す容器の開閉時における押圧操作部の誤った押圧の仕方を示す斜視図である。
【図４】本発明の包装容器の分解斜視図である。
【図５】本発明の包装容器の斜視図である。
【図６】本発明の包装容器の滑動板をスライドさせ帯状部を撓ませ傾倒板をやや起こした状態を示す斜視図である。
【図７】本発明の包装容器の傾倒板及び閉鎖板を傾倒させ、取り出し口を露出した状態を示す斜視図である。
【図８】本発明の包装容器の実施態様における容器本体の蓋部材のピン部を示す拡大断面図である。
【図９】本発明の包装容器の実施態様における容器本体の底部材のボス部を示す拡大断面図である。
【図１０】底部材と蓋部材からなる容器本体の、内部に誘導壁を備える底部材の斜視図である。
【図１１】開閉機構の他の実施例を示す斜視図である。
【図１２】本発明の包装容器の別の実施の形態の斜視図である。
【図１３】本発明の包装容器の更に別の実施の形態の斜視図である。
【図１４】傾斜板の縦方向長さと帯状部の縦方向長さの比が４０対６０のときの滑動板３０を移動させて起こした傾斜板３０及び閉鎖板２９と取り出し口２４の位置関係を示す模式図である。
【図１５】傾斜板の縦方向長さと帯状部の縦方向長さの比が３０対７０のときの滑動板３０を移動させて起こした傾斜板３０及び閉鎖板２９と取り出し口２４の位置関係を示す模式図である。
【図１６】傾斜板の縦方向長さと帯状部の縦方向長さの比が２５対８５のときの滑動板３０を移動させて起こした傾斜板３０及び閉鎖板２９と取り出し口２４の位置関係を示す模式図である。
【図１７】傾斜板の縦方向長さと帯状部の縦方向長さの比が２０対８０のときの滑動板３０を移動させて起こした傾斜板３０及び閉鎖板２９と取り出し口２４の位置関係を示す模式図である、
【図１８】傾斜板の縦方向長さと帯状部の縦方向長さの比が１５対８５のときの滑動板３０を移動させて起こした傾斜板３０及び閉鎖板２９と取り出し口２４の位置関係を示す模式図である。
【図１９】傾斜板の縦方向長さと帯状部の縦方向長さの比が１０対９０のときの滑動板３０を移動させて起こした傾斜板３０及び閉鎖板２９と取り出し口２４の位置関係を示す模式図である。
【符号の説明】
【００４５】
２１ａ    蓋部材
２１ｂ    底部材
２１      容器本体
２２      開閉機構
２３      凹陥部
２４      取り出し口
２５      ヒンジ部
２６      傾倒板
２７      ヒンジ部
２８ａ    帯状部
２８ｂ    帯状部
２９      閉鎖板
３０      滑動板
３１ａ    爪
３１ｂ    爪
３２ａ    スリット
３２ｂ    スリット
３３      ピン
３４      ボス
３５      段下げ部
３６      段上げ部
３７      環状突起部
３８      ヒンジ部
３９      誘導壁
４０ａ    蓋部材
４０ｂ    底部材
４１      ピン
４２      スリット
Ａ        矢印
４        ヒンジ部
５        押圧操作部
１１      容器本体
１２      蓋体
１８      切込み長溝
【図１】
2006193204.tif 000003
【図２】
2006193204.tif 000004
【図３】
2006193204.tif 000005
【図４】
2006193204.tif 000006
【図５】
2006193204.tif 000007
【図６】
2006193204.tif 000008
【図７】
2006193204.tif 000009
【図８】
2006193204.tif 000010
【図９】
2006193204.tif 000011
【図１０】
2006193204.tif 000012
【図１１】
2006193204.tif 000013
【図１２】
2006193204.tif 000014
【図１３】
2006193204.tif 000015
【図１４】
2006193204.tif 000016
【図１５】
2006193204.tif 000017
【図１６】
2006193204.tif 000018
【図１７】
2006193204.tif 000019
【図１８】
2006193204.tif 000020
【図１９】
2006193204.tif 000021